【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
被検知体が検知面に近接した位置を検知するタッチセンサが設けられているタッチパネル
を具備しており、
前記タッチセンサは、
走査電極と、
誘電体を介して前記走査電極から間を隔てて対面している検出電極と
を有し、前記被検知体が前記検出電極に近接したときに静電容量が変化する静電容量型であり、
前記検出電極は、前記走査電極に対面する面にスリットが形成されており、当該スリット内にフローティング電極が設けられている
情報入力装置。
【請求項２】
前記検出電極と前記フローティング電極は、可視光を透過する透明電極である、
請求項１に記載の情報入力装置。
【請求項３】
前記走査電極は、前記検知面の面方向において、第１方向に延在しており、複数が前記第１方向に垂直な第２方向にて間を隔てて並ぶように配列されており、
前記検出電極は、前記第２方向に延在しており、複数が前記第１方向に間を隔てて並ぶように配列されている、
請求項１または２に記載の情報入力装置。
【請求項４】
前記検出電極は、前記スリットが複数設けられている、
請求項１から３のいずれかに記載の情報入力装置。
【請求項５】
前記検出電極は、前記複数のスリットが、前記第１方向と前記第２方向とのそれぞれに並ぶように設けられており、
前記フローティング電極は、前記複数のスリットのそれぞれに対応するように複数が前記第１方向と前記第２方向とのそれぞれに並ぶように設けられている、
請求項３または４に記載の情報入力装置。
【請求項６】
前記複数の検出電極は、
前記第２方向に延在する側端部において前記第１方向へ凸状に突出した凸部
を含み、
前記凸部は、前記第２方向において複数が間を隔てて設けられている、
請求項３から５のいずれかに記載の情報入力装置。
【請求項７】
前記第２方向に並ぶ複数の凸部は、前記第１方向における端部の位置が、前記第２方向においてランダムになるように形成されている、
請求項３から６のいずれかに記載の情報入力装置。
【請求項８】
前記検出電極は、前記スリットが円形である、
請求項１から６のいずれかに記載の情報入力装置。
【請求項９】
前記複数の走査電極から走査電極を選択し、当該選択した走査電極に駆動信号を供給するタッチセンサ駆動動作を繰り返し実施することによって、前記タッチセンサを駆動させる制御部
を有し、
前記制御部は、前記タッチセンサ駆動動作の実施の際には、前記複数（ｎ個）の走査電極のうち、前記第２方向にて連続して並ぶ複数（ｍ個，２＜ｍ＜ｎ）の走査電極を走査電極群として選択すると共に、連続する当該タッチセンサ駆動動作の間にて、異なる走査電極と、共通する走査電極とが含まれるように、前記走査電群を前記第２方向にてシフトさせて選択する、
請求項１から８のいずれかに記載の情報入力装置。
【請求項１０】
画像を表示する表示面において被検知体が近接した位置を検知するタッチセンサが設けられている表示パネル
を具備しており、
前記タッチセンサは、
走査電極と、
誘電体を介して前記走査電極から間を隔てて対面している検出電極と
を有し、前記被検知体が前記検出電極に近接したときに静電容量が変化する静電容量型であり、
前記検出電極は、前記走査電極に対面する面にスリットが形成されており、当該スリット内にフローティング電極が設けられている
表示装置。
【請求項１１】
前記表示パネルは、
第１基板と、
前記第１基板から間を隔てて対面している第２基板と
前記第１基板と前記第２基板との間に設けられた液晶層と
を含む液晶パネルである、
請求項１０に記載の表示装置。
【請求項１２】
前記検出電極は、前記第１基板において前記第２基板に対向する面に対して反対側に設けられており、
前記走査電極は、前記第１基板を介して前記検出電極に対面するように、前記第１基板と前記第２基板との間に設けられている、
請求項１１に記載の表示装置。
【請求項１３】
前記走査電極は、前記第１基板と前記第２基板とが対面する面において、第１方向に延在しており、複数が前記第１方向に垂直な第２方向に間を隔てて並ぶように配列されており、
前記検出電極は、前記第２方向に延在しており、複数が前記第１方向に間を隔てて並ぶように配列されている、
請求項１１または１２に記載の表示装置。
【請求項１４】
前記表示パネルは、
表示領域に並ぶ複数の画素電極と、
前記表示領域において前記複数の画素電極から間を隔てて設けられている共通電極と
を含み、
前記複数の走査電極が、前記共通電極として兼用される、
請求項１０から１３のいずれかに記載の表示装置。
【手続補正２】
【補正対象書類名】明細書
【補正対象項目名】００８５
【補正方法】変更
【補正の内容】
【００８５】
図７に示すように、検出電極２４は、ストライプ状であって、対向基板２０２の面において、垂直方向ｙに延在している。そして、検出電極２４は、複数が、水平方向ｘにて間を隔てて並ぶように配置されている。つまり、左側から右側へ向かって、第１から第ｋの検出電極２４＿１〜２４＿ｋのｋ本が、検出電極２４として設けられている。
【手続補正３】
【補正対象書類名】明細書
【補正対象項目名】０１３２
【補正方法】変更
【補正の内容】
【０１３２】
上記のように、画像表示動作の実施時には、複数の対向電極２３から所定の対向電極２３を選択し、その選択した対向電極２３に駆動信号を供給するタッチセンサ駆動動作を繰り返し実施することによって、制御部４０１が、タッチセンサＴＳを駆動させる。
具体的には、ｎ本の対向電極２３において連続して並ぶｍ本の対向電極２３（ｍ＜ｎ）を選択して、Ｖｃｏｍ反転駆動（交流駆動）をする。そして、この選択対象を垂直方向ｙにおいて変更するシフト動作を、各シフト動作の前後において少なくとも１つの対向電極２３が共通するように実施する。そして、そのシフト動作によって選択したｍ本の対向電極２３について、Ｖｃｏｍ反転駆動をする。
つまり、上記のタッチセンサ駆動動作の実施の際には、ｎ本の対向電極２３のうち、垂直方向ｙにて連続して並ぶ、ｍ本（２＜ｍ＜ｎ）の対向電極２３を、走査電極群として選択する。そして、連続するタッチセンサ駆動動作の間にて、異なる対向電極と、共通する対向電極とが含まれるように、この走査電極群を選択する。
【手続補正４】
【補正対象書類名】明細書
【補正対象項目名】０１９７
【補正方法】変更
【補正の内容】
【０１９７】
第１から第ｎの対向電極２３ｔ＿１〜２３ｔ＿ｎのそれぞれは、図２２に示すように、実施形態１の場合と同様に、センサ駆動部Ｓに電気的に接続されており、順次、選択されて、センサ駆動部Ｓから出力された駆動信号Ｓｇが供給される。つまり、第１から第ｎの対向電極２３ｔ＿１〜２３＿ｎのそれぞれは、線順次走査駆動によって、駆動信号Ｓｇが供給される。ここでは、実施形態１と同様に、共通電位Ｖｃｏｍの駆動信号Ｓｇが供給される。
【手続補正５】
【補正対象書類名】明細書
【補正対象項目名】０２００
【補正方法】変更
【補正の内容】
【０２００】
図２３に示すように、検出電極２４ｔは、実施形態１の場合と同様に、ストライプ状であって、タッチパネル基板２０９ｓの面において、垂直方向ｙに延在している。そして、検出電極２４ｔは、複数が、水平方向ｘにて間を隔てて並ぶように配置されている。つまり、左側から右側へ向かって、第１から第ｋの検出電極２４ｔ＿１〜２４ｔ＿ｋのｋ本が、検出電極２４ｔとして設けられている。
【手続補正６】
【補正対象書類名】明細書
【補正対象項目名】０２０１
【補正方法】変更
【補正の内容】
【０２０１】
第１から第ｋの検出電極２４ｔ＿１〜２４ｔ＿ｋのそれぞれは、図２３に示すように、検出器ＤＥＴに電気的に接続されており、検出信号Ｖｄｅｔが検出器ＤＥＴへ出力される。
【手続補正７】
【補正対象書類名】明細書
【補正対象項目名】０２１３
【補正方法】変更
【補正の内容】
【０２１３】
（Ａ）検出電極について
図２４に示すように、検出電極２４ｄは、複数が、水平方向ｘにて間を隔てて並ぶように配置されている。つまり、左側から右側へ向かって、第１から第ｋの検出電極２４ｄ＿１〜２４ｄ＿ｋのｋ本が、検出電極２４ｄとして設けられている。
【手続補正８】
【補正対象書類名】明細書
【補正対象項目名】０２２１
【補正方法】変更
【補正の内容】
【０２２１】
（Ａ）検出電極について
図２５に示すように、検出電極２４ｅは、ストライプ状であって、垂直方向ｙに延在している。そして、検出電極２４ｅは、複数が、水平方向ｘにて間を隔てて並ぶように配置されている。つまり、左側から右側へ向かって、第１から第ｋの検出電極２４ｅ＿１〜２４ｅ＿ｋのｋ本が、検出電極２４ｅとして設けられている。
【手続補正９】
【補正対象書類名】明細書
【補正対象項目名】０２２４
【補正方法】変更
【補正の内容】
【０２２４】
（Ｂ）まとめ
以上のように、本実施形態において、検出電極２４ｅは、円形状のスリットＫＫｅが形成されている。このため、対向電極２３と検出電極２４ｅとの間でフリンジ電界が、より均一に発生する。
【手続補正１０】
【補正対象書類名】明細書
【補正対象項目名】０２２９
【補正方法】変更
【補正の内容】
【０２２９】
（Ａ）検出電極について
図２６に示すように、検出電極２４ｆは、全体として、垂直方向ｙに延在している。そして、検出電極２４ｆは、複数が、水平方向ｘにて間を隔てて並ぶように配置されている。つまり、左側から右側へ向かって、第１から第ｋの検出電極２４ｆ＿１〜２４ｆ＿ｋのｋ本が、検出電極２４ｆとして設けられている。
【手続補正１１】
【補正対象書類名】明細書
【補正対象項目名】０２３１
【補正方法】変更
【補正の内容】
【０２３１】
また、検出電極２４ｆのそれぞれは、図２６に示すように、垂直方向ｙに延在する側端部に、凸部２４Ｃｆが形成されている。凸部２４Ｃｆは、水平方向ｘへ凸状に突出しており、垂直方向ｙにおいて複数が、間を隔てて設けられている。ここでは、複数の凸部２４Ｃｆのそれぞれは、垂直方向ｙにおいて、一つのスリットＫＫｆを挟むように設けられている。